(57)【要約】【課題】  雨の吹き込み防止効果、風除け効果、日除け効果などに優れるばかりでなく、外観に装飾効果があり、構造が簡単であり、しかも取り扱いが容易な傘を提供すること。【解決手段】  シャフトと、上ロクロを支点として開閉可能な複数本の親骨と、シャフト上を上下に滑動可能に取り付けられた下ロクロと、親骨を支持した受骨と、親骨の上面に張り付けられた傘地とを含む傘において、親骨の露先にフード受骨が取り付けられており、一群のフード受骨にはフード地が張り付けられており、かつフード受骨及びフード地からなるフード部が、傘を開いたときに、傘の露先から垂下されるように、構成する。【選択図】        図１
2007068946.tif 000002
【特許請求の範囲】
【請求項１】
シャフトと、該シャフトの上ロクロに放射状に取り付けられておりかつ前記上ロクロを支点として開閉可能な複数本の親骨と、前記シャフトにそのシャフト上を上下に滑動可能に取り付けられた下ロクロと、前記親骨を先端部で支持するとともに、前記下ロクロに末端部が取り付けられた受骨と、一群の前記親骨の上面に張り付けられた傘地とを含み、前記シャフト上における前記下ロクロの上下移動が前記親骨に伝達せしめられ、前記親骨の開閉運動により傘の開閉が可能な傘であって、
前記親骨の露先に、その露先を支点として円運動可能にフード受骨が取り付けられており、
一群の前記フード受骨には、傘の使用者の視認度を確保するのに必要な透過度を有する生地からなるフード地が張り付けられており、かつ
前記フード受骨及びフード地からなるフード部は、傘を開いたときに、前記一群の親骨の内側に収納されるかもしくは前記傘の露先から垂下されるように構成されていることを特徴とするフード付き傘。
【請求項２】
前記フード受骨のほぼ中央部に円運動可能に一端が取り付けられかつ前記親骨にその親骨上を移動可能に他端が取り付けられた鍼骨をさらに有しており、前記シャフト及び前記親骨の内部に組み込まれ鍼骨移動機構により前記鍼骨が前記親骨上を移動せしめられ、前記フード受骨の円運動により前記フード部の収納及び垂下を行うことを特徴とする請求項１に記載のフード付き傘。
【請求項３】
前記鍼骨の他端が、前記親骨の内部に形成されたレールに脱落不可能に取り付けられており、かつ前記レール上を左右に滑動可能であることを特徴とする請求項２に記載のフード付き傘。
【請求項４】
前記鍼骨移動機構が、
前記シャフトの上ロクロの近傍に、そのシャフトの内部を上下に移動可能に取り付けられた上ワイヤ止めと、
前記親骨の内部に組み込まれるとともに、前記鍼骨の他端に一端が接続されかつ前記上ワイヤ止めに他端が接続された親骨ワイヤと、
一端が前記鍼骨の他端にかつ他端が前記親骨の先端に接続された第１付勢手段と、
前記シャフトの下ロクロの近傍に、そのシャフトの内部を上下に移動可能に取り付けられた下ワイヤ止めと、
前記シャフトの内部に組み込まれたワイヤ及びスプリングの結合体からなり、前記上ワイヤ止めに前記ワイヤの末端が接続されかつ前記下ワイヤ止めに前記スプリングの末端が接続された第２付勢手段と
を含むことを特徴とする請求項２又は３に記載のフード付き傘。
【請求項５】
前記親骨から前記上ワイヤ止めに案内される前記親骨ワイヤの屈曲位置にさらに滑り部材が設けられていることを特徴とする請求項４に記載のフード付き傘。
【請求項６】
前記シャフトの側面にそのシャフトのほぼ全長にわたって長手方向に延在したピン部材案内溝と、該ピン部材案内溝の下端部にその案内溝にほぼ水平に設けられたＬ字形のストッパー溝と、前記下ワイヤ止めに付設された、前記ピン部材案内溝にそって上下に移動可能なピン部材と、前記下ロクロに前記案内溝にほぼ水平に設けられた逆Ｌ字形のカギ溝とを含むフード部固定手段をさらに有しており、そして
前記ピン部材は、前記ストッパー溝に挿入及び係止されたときに、そのピン部材が付設された前記下ワイヤ止めの移動を停止するとともに、前記フード部を前記一群の親骨の内側に収納して保持し、かつ、前記カギ溝に挿入及び係止されたときに、そのピン部材が付設された前記下ワイヤ止めの移動を停止するとともに、前記フード部を前記傘の露先から垂下させて保持することを特徴とする請求項４又は５に記載のフード付き傘。
【請求項７】
前記フード地が、透明なプラスチック材料からなることを特徴とする請求項１〜６のいずれか１項に記載のフード付き傘。
【請求項８】
前記フード地が、メッシュ地からなることを特徴とする請求項１〜６のいずれか１項に記載のフード付き傘。
【請求項９】
前記フード地が、織布、編布又はその組み合わせからなることを特徴とする請求項１〜６のいずれか１項に記載のフード付き傘。
【請求項１０】
前記フード受骨が前記親骨の一部に取り付けられており、前記フード受骨の上面に前記フード地が張り付けられていることを特徴とする請求項１〜９のいずれか１項に記載のフード付き傘。
【請求項１１】
長傘であることを特徴とする請求項１〜１０のいずれか１項に記載のフード付き傘。
【請求項１２】
折り畳み傘であることを特徴とする請求項１〜１０のいずれか１項に記載のフード付き傘。
【発明の詳細な説明】
【技術分野】
【０００１】  本発明は、傘に関し、さらに詳しく述べると、雨傘、日傘、ゴルフ傘などとして使用されるフード付きの傘に関する。
【背景技術】
【０００２】  周知の通り、例えば雨傘、日傘などとして、いろいろな種類の傘が、現在商業的に入手可能である。また、例えば横から吹き付ける雨などに対処するため、フード部を取り付けた傘が提案されている。例えば、特許文献１は、傘本体に雨除けのフードが付いた傘であって、フードの一部又は全部を透明にするか穴をあけてあり、フードを使わない場合は、ひも等によりフードをたたんだ状態で傘本体に固定できるようにした傘を記載している。しかし、この傘の場合、ひも等によりフードをたたまなければならないので、取り扱い性が悪いばかりでなく、たたんだ後の外観が悪いという欠点がある。特にこの傘の場合、ひも等によりたたまれたロール状のフードが邪魔をして、不使用時に傘そのものをコンパクトに折り畳めないという重大な問題をかかえている。【０００３】  また、特許文献２は、通常の傘骨の構造を具備する傘の外周全体もしくは一部の先親骨の先端部に傘の面積を拡大するために延長用傘布接着傘骨と、前記傘の先親骨の先端部に前記延長用傘布接着傘骨の一端部を回動可能に軸支連結するとともに該軸支連結した部分を回転軸として前後に回動自在とした関節機構を具備し、前記延長用傘布接着傘骨を延長方向へ回動させると雨よけ部の全体もしくは一部を延長することができ、同様に前記延長用傘布接着傘骨を下方へ回動させて前記関節機構において折り曲げた状態にして垂直に垂らすと、前記延長用傘布接着傘骨を傘の外周全体もしくは一部のフードとして用いることができるように構成した傘を記載している。しかし、この傘の場合、延長用傘布接着傘骨と関節機構を組み合わせて備えたことで、前記特許文献１の場合に比較して取り扱い性を改良することができるけれども、フードの移動メカニズムが複雑であり、傘が高価となるばかりでなく、使用中にトラブルが発生しやすいという問題がある。【０００４】
【特許文献１】  登録実用新案第３０６９５０１号（実用新案請求の範囲）
【特許文献２】  登録実用新案第３１０９０６５号（実用新案請求の範囲）
【発明の開示】
【発明が解決しようとする課題】
【０００５】  本発明は、上記のような従来の技術の問題点を解決することに向けられたものであり、その目的は、雨の吹き込み防止効果、風除け効果、日除け効果などに優れるばかりでなく、外観に装飾効果があり、構造が簡単であり、しかも取り扱いが容易な傘を提供することにある。
【課題を解決するための手段】
【０００６】  本発明者は、上記の目的を達成するために鋭意研究した結果、傘の外周部に取付けるフード部において、その開閉機構を特に傘のシャフトの内部に組み込むことが有意であることを発見し、本発明を完成した。【０００７】  本発明は、シャフトと、該シャフトの上ロクロに放射状に取り付けられておりかつ前記上ロクロを支点として開閉可能な複数本の親骨と、前記シャフトにそのシャフト上を上下に滑動可能に取り付けられた下ロクロと、前記親骨を先端部で支持するとともに、前記下ロクロに末端部が取り付けられた受骨と、一群の前記親骨の上面に張り付けられた傘地とを含み、前記シャフト上における前記下ロクロの上下移動が前記親骨に伝達せしめられ、前記親骨の開閉運動により傘の開閉が可能な傘であって、
前記親骨の露先に、その露先を支点として円運動可能にフード受骨が取り付けられており、
一群の前記フード受骨には、傘の使用者の視認度を確保するのに必要な透過度を有する生地からなるフード地が張り付けられており、かつ
前記フード受骨及びフード地からなるフード部は、傘を開いたときに、前記一群の親骨の内側に収納されるかもしくは前記傘の露先から垂下されるように構成されることを特徴とするフード付き傘にある。
【発明の効果】
【０００８】  以下の詳細な説明から理解されるように、本発明によれば、傘の外周部からフード部が垂れ下がった構成を採用したので、雨の吹き込みを防止し、横から吹き付ける風を遮断し、さらには降り注ぐ陽光を効果的の遮蔽する効果があり、しかもそのフード部の形状、材料、寸法などを調整することで、それぞれの効果を最大限に発揮させることができる。【０００９】  また、フード部を取り付けるに際して、フード部の形状、色彩などを任意に変更することで、従来一般的に認識されている傘の常識や概念を打破して、上記したような実用性の改良に追加して、傘の外観、意匠性、装飾性などを高めることができる。【００１０】  さらに、本発明の場合、フード部を取り付けたにもかかわらず、そのフード部を簡単なメカニズムにより開閉可能であるので、従来品のように傘が高価になることを回避することができ、使用中のトラブルが発生することもない。さらに、フード部の開閉メカニズムは、傘の親骨やシャフトに内蔵することができるので、外観上の不具合が発生することもなく、傘の軽量化にも寄与することができる。さらにまた、本発明のフード部は、傘内への収納あるいは傘からの垂下を使用者の意思に応じて任意に調整することができるので、もしも使用者が望まないときには、フード部を親骨の側に一体的に収納して隠し、通常の傘と同様に使用することができる。
【発明を実施するための最良の形態】
【００１１】  本発明によるフード付き傘は、いろいろな形態で有利に実施することができる。以下、添付の図面を参照して本発明の好ましい形態を説明する。なお、本発明は、下記の形態に限定されるものではなく、本発明の範囲内でいろいろに変更し、改良することができる。例えば、以下においては傘の開閉メカニズムを簡単に説明するために特に長傘を参照して本発明を説明するけれども、傘の開閉メカニズムはほぼ同じであるので、折り畳み傘についても本発明を適用することができる。また、図面そのものも、本発明の傘の開閉メカニズムを容易に理解できるようにするために、原寸とは異なる寸法で示されており、各部材の形状もまた、現品のそれから変更して示されている。【００１２】  図１は、本発明によるフード付き傘の好ましい１形態（フードを垂下して使用した状態）を示した斜視図であり、また、図２は、図１に示したフード付き傘の線分ＩＩ−ＩＩに沿った断面図である。図示される通り、本発明のフード付き傘５０は、シャフト１、シャフト１の上ロクロ２に取り付けられ、その上ロクロ２から放射状に伸びた複数本の親骨３と、シャフト１にそれに沿って上下に滑動可能に取り付けられた下ロクロ８と、親骨３を先端部で支持するとともに、末端部が下ロクロ８に取り付けられた受骨９と、一群の親骨３の上面に張り付けられた傘地６を有するように構成される。傘５０は、通常の傘と同様に、下ロクロ８をシャフト１にそって上下に移動させることにより任意に開閉可能であり、不使用時には折り畳んで保管し、必要に応じて携帯することができる。【００１３】  本発明の傘は特に、その傘５０（傘地６）の外周部に、傘の使用時に必要に応じてその傘の露先４から垂れ下げ可能なフード部をさらに備えていることを特徴とする。フード部は、図２及び図２の要部拡大図である図３に示されるように、親骨３の露先４に取り付けられたフード受骨１０と、フード受骨１０を覆ってそれに張り付けられたフード地７とからなる。ここで、フード受骨１０は、親骨３の露先４にその一端が、露先４を支点として円運動可能に取り付けられており、他端は自由端である。フード受骨１０及びフード地７からなるフード部は、傘５０を閉じたときに一群の親骨３の内側に収納され、かつ傘を開いたときにその傘の露先４から垂下されるように構成されている。なお、フード部は、以下に図５及び図６を参照して詳細に説明するけれども、もしも使用者が希望する場合には、傘を開いたときに、傘を閉じたときと同様に親骨の内側に収納し、傘の露先から垂下させないことも可能である。【００１４】  フード部において、フード地は、傘の種類やフード部に要求される機能などに応じていろいろな生地から任意の形状で形成することができる。通常、フード地は、屋外で使用する場合の安全性などを考慮して、傘の使用者の視認度を確保するのに必要な透過度を有する材料からなることが必要である。したがって、フード地は、好ましくは、透明なプラスチック材料からなるか、さもなければメッシュ地からなる。また、フード地は、必要ならば、織布、編布又はその組み合わせからなっていてもよい。フード地は、通常、傘の外周部にその全体を取り囲むように取り付けられるけれども、フード受骨を���骨の一部に限って取り付け、そのフード受骨の上面に限ってフード地を張り付けてもよい。また、フード受骨は、以下に列挙するものに限定されるわけではないけれども、例えば、スチール、ステンレス鋼、アルミニウム等の金属、炭素繊維、ガラス繊維、強化プラスチックなどから形成することができる。なお、フード部の構成について、さらなる詳細は以下において記載する。【００１５】  本発明のフード付き傘において、傘そのものは、雨傘（長傘及び折り畳み傘）、日傘、ゴルフ傘などの商業的に一般的に入手可能な傘と同様な構成を有することができる。例えば、シャフト（中棒ともいう）は、スチール、ステンレス鋼、アルミニウム等の金属、木材、炭素繊維、ガラス繊維、強化プラスチックなどから形成することができる。シャフトには、通常、使用者が傘を持つための手もと、傘を持ち歩いているときに地面を突くことのできる石突き、傘を閉じているときに不用意な開放を防止するための下はじき、傘を広げたときに不用意な閉塞を防止するための上はじき、傘の開閉時にシャフト上を移動させるための下ロクロ、放射状に伸びた親骨を１ヶ所に取り付けるための上ロクロなどが取り付けられる。また、本発明のフード付き傘の場合、以下に説明するように、フード部の開閉及び固定に用いられるピン部材が移動可能な案内溝（スリット）が、シャフトの側面に長手方向に延在している。【００１６】  親骨は、通常、８本、１０本、１２本、１６本などである。親骨の長さは、使用者の身長や使用目的に応じて広く変更可能であるが、通常、約４５〜８０ｃｍの範囲である。例えば、成人男性用の雨傘（長傘）は、通常、約６０〜７０ｃｍの範囲である。親骨は、繰り返しの開閉や強い風雨に耐えうる強靭な材料から形成されることが好ましい。親骨に好適な材料は、例えば、スチール、ステンレス鋼、アルミニウム等の金属、木材、炭素繊維、ガラス繊維、強化プラスチックなどである。親骨を支える受骨も、親骨と同様に、金属、木材、強化プラスチックなどから構成することができる。【００１７】  傘地（傘布ともいう）は、傘の使途などに応じていろいろな材料から形成することができるけれども、通常、ナイロン生地、ポリエステル生地、ポリエステル／綿の混紡品（例えば、ポリエステル６５％＋綿３５％）から形成するのが有利である。また、必要に応じて、生地の表面にテフロン（登録商標）コーティングやその他のコーティングあるいは防水処理、紫外線反射処理やその他の表面処理を施してもよい。さらに、必要ならば、塩化ビニルフィルムなどの透明な材料で親骨を覆ってもよい。なお、これらの傘構成要素は、それぞれ、当業者のよく知るところあるので、ここでの詳細な説明を省略する。【００１８】  本発明のフード付き傘において、フード部は、傘の外周部の全体を取り囲むように取り付けてもよく、あるいは必要ならば、外周部の一部に選択的に取り付けてもよい。傘の外周部から垂れ下げるフード部の長さは、使用者の希望や傘の使途などに応じて広い範囲で変更することができる。フード部の長さは、通常、傘に収納する場合の収まり具合などを考慮して、約１０〜５０ｃｍの範囲が好ましく、さらに好ましくは、約１５〜２５ｃｍの範囲である。なお、例えば意匠性��どの向上を意図する場合、傘の外周部において、部分部分でフード部の長さが異なるように構成してもよい。もちろん、フード部は、単色あるいは多色のいずれであってもよく、必要に応じて模様などを付与することができる。【００１９】  フード部は、いろいろなフード地から形成することができる。例えば、フード地は、透明なプラスチック材料、好ましくは透明でフレキシブルなプラスチックフィルムあるいはシートから形成することができる。適当なプラスチック材料は、例えば、ポリ塩化ビニル、ポリウレタンなどである。かかるプラスチック材料は、通常、全体が透明であることが好ましいけれども、必要ならば、周囲の視認に必要な部分のみに選択的に透明性が付与されていてもよい。【００２０】  フード地は、必要ならば、メッシュ材などから形成されていてもよい。使用者は、傘を着用したとき、メッシュ材を介して外側の様子を支障なく視認することができるからである。メッシュ材の開口部は、その製造方法、例えば編み方や傘の使途などに応じて広い範囲で変更することができるけれども、通常、約０．５〜５ｍｍの範囲であり、さらに好ましくは約１〜３ｍｍの範囲である。メッシュ材の素材は、特に限定されるものではなく、例えば、天然もしくは合成の繊維材料、例えばナイロン、ポリエステル、ポリエステル／綿の混紡品などを包含する。メッシュ材は、傘の外観などを考慮した場合、傘地と共生地で構成することが推奨される。また、必要ならば、例えば、メッシュ材の開口部が比較的に大きい場合、このメッシュ材の全体もしくは一部に透明なプラスチックコーティングを施すように構成してもよい。【００２１】  フード地は、本発明のフード付き傘に対して悪影響が出ないのであれば（例えば、フード地によって使用者の視認性などが妨害されないのであれば）、傘地と同様に織布、編布又はその組み合わせあるいはその他の材料からなっていてもよい。このような材料の例として、例えば、ナイロン生地、ポリエステル生地、ポリエステル／綿の混紡品などを挙げることができる。これらのフード地は、必要に応じて、その表面にテフロン（登録商標）コーティングやその他のコーティングあるいは防水処理、紫外線反射処理やその他の表面処理を施してもよい。【００２２】  本発明のフード付き傘は、傘の使用時に必要に応じてその傘の露先から垂れ下げ可能なフード部をさらに備えているが、このフード部の収納及び垂下の動作は、フード部のフード受骨に取り付けた鍼骨を含む本発明による鍼骨移動機構に依存している。鍼骨移動機構は、本発明の範囲内においていろいろに構成することができるけれども、以下、図２及び図３を参照して説明する。【００２３】  フード受骨１０は、そのほぼ中央部に取り付けられた鍼骨５を有している。鍼骨５は、その一端がフード受骨１０に円運動可能に取り付けられおり、また、鍼骨５の他端は、親骨３にその親骨の上を移動可能に取り付けられている。親骨３は、したがって、その親骨の内部に鍼骨５の他端の案内路、例えばレールが形成されているように構成するのが好ましい。具体的には、親骨をコの字形、Ｕ字形などの断面を有するように成形することによって案内路を形成することができる。鍼骨５は、したがって、親骨３���取り付けられた状態で保持され、それから脱落することがなく、かつ親骨３の案内路上を左右に滑動可能である。また、鍼骨５が以下に説明する鍼骨移動機構により親骨３上を移動せしめられるので、フード受骨１０の円運動によりフード部の収納及び垂下を行うことができる。【００２４】  本発明のフード付き傘では、ワイヤ、スプリング等を組み合わせて構成した鍼骨移動機構をシャフト１及び親骨３の内部に組み込むことが好ましい。鍼骨移動機構は、下ワイヤ止め１７から鍼骨５の他端（フード受骨１０の接続端とは反対側の端部）に至る一定の長さの部分を構成している。また、鍼骨移動機構は、それに含まれる付勢手段により伸縮自在に構成されているので、下ワイヤ止め１７の上下移動に連動して伸縮し、また、この結果としてフード受骨１０の円運動を誘起し、フード部の収納又は垂下を行うことができる。フード部は、それを収納状態又は垂下状態に調整した後、以下に説明するフード部固定手段を使用して安定に固定することができ、フード部の収納状態又は垂下状態が不用意にくずされることはない。【００２５】  さらに詳しく述べると、鍼骨移動機構は、好ましくは、
（１）シャフト１の上ロクロ２の近傍に、そのシャフト１の内部を上下に移動可能に取り付けられた上ワイヤ止め１５と、
（２）親骨３の内部に組み込まれれるとともに、鍼骨５の他竭に一端が接続されかつ上ワイヤ止め１５に他端が接続された親骨ワイヤ１１と、
（３）一端が鍼骨５の他端にかつ他端が親骨３の先端に接続された第１付勢手段、好ましくはスプリング１３と、
（４）シャフト１の下ロクロ８の近傍に、そのシャフト１の内部を上下に移動可能に取り付けられた下ワイヤ止め１７と、
（５）シャフト１の内部に組み込まれたワイヤ１６及びスプリング１２の結合体からなり、上ワイヤ止め１５にワイヤ１６の末端が接続されかつ下ワイヤ止め１７にスプリング１２の末端が接続された第２付勢手段と
を含むように構成される。上ワイヤ止め１５及び下ワイヤ止め１７は、シャフト１内を上下に移動可能である。ここで、下ワイヤ止め１７をシャフト１の下ロクロ８に固定して両者が同一の上下運動を行い得るように調整したときには、第１及び第２の付勢手段に働きにより、フード部が、図２及び図３に示すように傘の露先から垂下した状態が確立され、その状態が保持される。一方、下ワイヤ止め１７をシャフト１の下方に移動させ、その下端部に固定したときには（この場合、下ワイヤ止め１７と下ロクロ８に一体化は解除される）、図５を参照して以下に説明するように、フード部が親骨３の側に収納された状態が確立され、その状態が保持される。【００２６】  本発明のフード付き傘において、鍼骨移動機構は、必要に応じて、その他の部材や手段、機構など上述の要素（１）〜（５）に追加して有してもよい。例えば、親骨３から上ワイヤ止め２に親骨ワイヤ１１が案内されるけれども、その親骨ワイヤ１１の屈曲位置にさらに滑り部材１４を設けることが推奨される。滑り部材１４は、例えば回転可能に取り付けられたローラーなどであることができる。滑り部材１４が支持体として存在することによって、親骨ワイヤ１１の運動を円滑にでき、したがって鍼骨移動機構及びフード部の動きも順調となる。【００２７】  本発明のフード付き傘は、上記したようにしてフード部の収納状態又は垂下状態を確立した後にその状態を安定に保持するため、フード部固定手段をさらに備えることが好ましい。本発明の実施において、フード部固定手段はいろいろに構成することができるが、通常、シャフト１の側面にそのシャフトのほぼ全長にわたって長手方向に延在したピン部材案内溝（スリット）１９と、下ロクロ８にピン部材案内溝１９にほぼ水平に設けられた逆Ｌ字形のカギ溝２１と、下ワイヤ止め１７に一体的に付設されたピン部材１８（ピン部材１８は、下ワイヤ止め１７に固定されているので、ピン部材１８と下ワイヤ止め１７とは常に同一運動が可能であり、また、したがって、ピン部材１８は、ピン部材案内溝１９にそって上下に移動可能である）と、ピン部材案内溝１９の下端部、すなわち、シャフト１の手元に近い部分にその案内溝１９にほぼ水平に設けられたＬ字形のストッパー溝２０とを含むように構成することが好ましい。ピン部材１８は、好ましくは図示されるような釘の形であるが、ピン部材案内溝１９にそって上下に移動可能であり、ストッパー溝２０やカギ溝２１に係止可能であるならば、その他の形状であってもよい。【００２８】  上記のようにフード部固定手段を構成することで、ピン部材１８は、ピン部材案内溝１９上を移動させて下ロクロ８に設けられているカギ溝２１に挿入及び係止されたときに、そのピン部材１８が付設された下ワイヤ止め１７の移動を停止するとともに、フード部を傘の露先４から垂下させて保持することができる。一方、ピン部材１８は、ピン部材案内溝１９上を移動させてシャフト１に設けられているストッパー溝２０に挿入及び係止されたときに、そのピン部材１８が付設された下ワイヤ止め１７の移動を停止するとともに、フード部を一群の親骨３の内側に収納して保持することができる。【００２９】  さらに具体的に説明すると、フード���固定手段は、次のようにして使用することができる。例えば、傘の使用時（例えば、降雨時や日差しが強い時など）においてフード部を傘から垂下させたい場合には、例えば図３及び図４に示すように、ピン部材１８を摘んで下ワイヤ止め１７をシャフト１の内部を移動させ、下ロクロ８まで移動させ、下ロクロ８に付属の逆Ｌ字形のカギ溝２１にピン部材１８を挿入し、カギ溝２１の水平溝に係止する（図４（Ａ）及び（Ｂ）を参照されたい）。下ワイヤ止め１７、ピン部材１８及び下ロクロ８が一体化して鍼骨移動機構が固定されるので、図３に示すように、フード部を傘から垂下させたまま、固定することができる。【００３０】  一方、降雨時等も含めて、使用時にフード部を傘から垂下させたくない場合には、フード部を傘に折り畳んだ状態で使用することも可能である。図５は、フード付き傘の使用時、フード部の垂下を希望しない場合にフード部を親骨側に収納した状態を示した断面図であり、また、図６（Ａ）及び（Ｂ）は、それぞれ、図５に示したフード付き傘のフード部固定手段の動作を示した正面図及び側面Ｍ図である。このようにフード部を傘から垂下させたくない場合には、ピン部材１８を摘んで下ワイヤ止め１７をシャフト１の内部を下方に移動させ、手元の近傍に設けられたＬ字形のストッパー溝２０に挿入し、ストッパー溝２０の水平溝に係止する。下ワイヤ止め１７、ピン部材１８及びシャフト１が一体化して鍼骨移動機構が固定されるので、図５に示すように、フード部を傘に折り畳んだまま、固定することができる。ここで、下ワイヤ止め１７及びピン部材１８の上下運動は不可能のなるので、傘の開閉のために下ロクロ８をシャフト１上を移動させたとしても、フード部は傘に折り畳んだままであり、露先４から垂下することはない。【００３１】  ここで、上記したいろいろな部材の材料について説明すると、例えば、鍼骨５は、以下に列挙するものに限定されるわけではないけれども、フード受骨１０と同様に、例えばスチール、ステンレス鋼、アルミニウム等の金属、炭素繊維、ガラス繊維、強化プラスチックなどから形成することができる。親骨ワイヤ１１及びワイヤ１６は、例えばスチール、強化プラスチックヤーンなどから形成することができる。スプリングは、例えばスチールなどから形成することができる。ピン部材１９もまた、例えばスチールなどから形成することができる。滑り部材１４は、例えばスチールやプラスチック、強化プラスチックなどから形成することができる。上ワイヤ止め１５及び下ワイヤ止め１７もまた、例えばスチールやプラスチック、強化プラスチックなどから形成することができる。
【図面の簡単な説明】
【００３２】
【図１】  本発明によるフード付き傘のフードの使用状態を示した側面図である。
【図２】  図１に示したフード付き傘の線分ＩＩ−ＩＩに沿った断面図である。
【図３】  図１に示したフード付き傘の要部を拡大して示した断面図である。
【図４】  図３に示したフード付き傘のフード部固定手段の動作を示した正面及び側面図である。
【図５】  図１に示したフード付き傘のフードの不使用状態を示した断面図である。
【図６】  図５に示したフード付き傘のフード部固定手段の動作を示した正面及び側面図である。
【符号の説明】
【００３３】１  シャフト
２  上ロクロ
３  親骨
４  露先
５  鍼骨
６  傘地
７  フード地
８  下ロクロ
９  受骨
１０  フード受骨
１１  親骨ワイヤ
１２  スプリング
１３  スプリング
１４  滑り部材
１５  上ワイヤ止め
１６  ワイヤ
１７  下ワイヤ止め
１８  ピン部材
１９  ピン部材案内溝
２０  ストッパー溝
２１  カギ溝
５０  フード付き傘
【図１】
2007068946.tif 000003
【図２】
2007068946.tif 000004
【図３】
2007068946.tif 000005
【図４】
2007068946.tif 000006
【図５】
2007068946.tif 000007
【図６】
2007068946.tif 000008